(57)【要約】【課題】生体を測定した値を直感的に表示可能とした生体皮膚インピーダンス測定表示システムを提供すること。【解決手段】生体皮膚インピーダンス測定表示システム１は、パルス電圧を生体に印加し、パルス電圧の印加開始時の電流値を求めるとともに、印加開始から所定時間後の電流値を求め、パルス電圧印加終了直後の電流値を求め、これら求められた測定値から生体の機能数値情報を得る生体反応波形測定装置３と、基準値ファイルからの基準値を基に前記生体の各部位の機能数値情報を所定の数値範囲に分類してそれぞれ格納する第１の手段、第１の手段で格納した各部位の数値範囲データを取り出し、各部位の情報と前記数値範囲データとを基に体のネットワーク画面上に、基本バランスに自律神経、内分泌代謝、免疫の３つのバランスを２ディメンジョンまたは３ディメンジョン的に、三角形状または円上に配置して表示させる第２の手段を実現する反応波形情報解析処理装置５とからなる。【選択図】図１
2007061153.tif 000002
【特許請求の範囲】
【請求項１】
パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基に体のネットワーク画面上に、基本バランスに自律神経、内分泌代謝、免疫の３つのバランスを２ディメンジョンまたは３ディメンジョン的に、三角形状または円上に配置して表示させる第２の手段とを備えたことを特徴とする生体皮膚インピーダンス測定表示システム。
【請求項２】
パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基にレイダーチャート上に表示して各部位の隣接する表示点を線で結んで表示させる第３の手段とを備えたことを特徴とする生体皮膚インピーダンス測定表示システム。
【請求項３】
前記第２の手段または第３の手段は、表示されている点及び線を、前記数値範囲データに基づいて、点滅させ、色を変え、大きさを変え、あるいは、これらのうちの少なくとも２つ以上を併用する機能を有することを特徴とする請求項１または２記載の生体皮膚インピーダンス測定表示システム。
【請求項４】
パルス電圧を生体に印加し、前記パルス電圧の印加開始時の電流値を求めるとともに、印加開始から所定時間後の電流値を求め、かつ、前記パルス電圧印加終了後の電流値を求め、これら求められたデータから得られた生体反応波形情報を基に生体の機能数値情報を得ることができる生体皮膚インピーダンス測定表示システムにおいて、
前記生体の自立神経、内分泌、免疫に関する機能数値情報を、その機能数値情報に応じて所定の数値範囲に分類してそれぞれ格納する第１の手段と、
前記第１の手段で格納された各部位の数値範囲データをそれぞれ取り出し、当該数値範囲データに応じて３ディメンジョンボール状のグラフの大きさ、色を変え、あるいは、双方とも併用して表示させる第４の手段と、
前記各部位の数値範囲データをそれぞれ取り出し、それら数値範囲データを基に基本バランス、その他の数値を表示するとともに、それら数値範囲データを基に所定のコメンントファイルから所定のコメントを選択して表示させる第５の手段とを備えたことを特徴とする生体皮膚インピーダンス測定表示システム。
【請求項５】
パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基にレイダーチャート上に表示させるとともに各部位の隣接する表示点を線で結んで表示させる第３の手段と、
各部位の情報と前記数値範囲データとを基に各部位の数値を棒グラフで表示するとともにデジタル数値表示をさせる第６の手段とを備えたことを特徴とする生体皮膚インピーダンス測定表示システム。
【請求項６】
前記第３の手段及び第６の手段は、表示されている点及び線を、前記数値範囲データに基づいて、点滅させ、色を変え、大きさを変え、あるいは、これらのうちの少なくとも２つ以上を併用する機能を有することを特徴とする請求項４記載の生体皮膚インピーダンス測定表示システム。
【発明の詳細な説明】
【技術分野】
【０００１】
本発明は生体皮膚インピーダンス測定表示システムに関し、さらに詳細には、生体にパルス電圧を印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムに関するものである。
【背景技術】
【０００２】
東洋医学で行なわれている経絡を電気的に測定し、その測定結果から自律神経機能や臓器機能等の生体の全身機能状態を評価する測定装置が多数提案されている。また、皮膚インピーダンスを測定して漢方薬の薬効評価の研究結果が報告されている。
【０００３】
この皮膚インピーダンスを測定するシステムとしては、生体にパルス電圧を印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができるものが提案されている（特許文献１参照）。
また、同様にパルス電圧を印加して得た生体機能情報をレイダーチャートで表示するようにした測定装置も提案されている（特許文献２参照）。
【０００４】
【特許文献１】特開２００１−２５３５２１号公報
【特許文献２】特開平２−１５９７０３号公報
【発明の開示】
【発明が解決しようとする課題】
【０００５】
しかしながら、従来の特許文献１に記載のシステムは、測定値を単にグラフ上にプロットして表示するのみであって、大体の傾向についてわかるものの、直感的に健康状態を把握できないという欠点があった。
また、従来の特許文献２に記載の測定装置は、レイダーチャート上に表示することは記載されているものの、レイダーチャートへの表示をどのようにするのか記載されていないという欠点があった。
【０００６】
本発明は、従来技術の欠点を解消し、生体を測定した値を直感的に表示可能とした生体皮膚インピーダンス測定表示システムを提供することを目的とする。
【課題を解決するための手段】
【０００７】
上記目的を達成するため、請求項１記載の発明に係る生体皮膚インピーダンス測定表示システムは、パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基に体のネットワーク画面上に、基本バランスに自律神経、内分泌代謝、免疫の３つのバランスを２ディメンジョンまたは３ディメンジョン的に、三角形状または円上に配置して表示させる第２の手段とを備えたことを特徴とするものである。
【０００８】
上記目的を達成するため、請求項２記載の発明に係る生体皮膚インピーダンス測定表示システムは、パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基にレイダーチャート上に表示して各部位の隣接する表示点を線で結んで表示させる第３の手段とを備えたことを特徴とするものである。
【０００９】
請求項３記載の発明では、請求項１または２記載の生体皮膚インピーダンス測定表示システムにおいて、前記第２の手段または第３の手段は、表示されている点及び線を、前記数値範囲データに基づいて、点滅させ、色を変え、大きさを変え、あるいは、これらのうちの少なくとも２つ以上を併用する機能を有することを特徴とするものである。
【００１０】
上記目的を達成するために、請求項４記載の発明に係る生体皮膚インピーダンス測定表示システムは、パルス電圧を生体に印加し、前記パルス電圧の印加開始時の電流値を求めるとともに、印加開始から所定時間後の電流値を求め、かつ、前記パルス電圧印加終了後の電流値を求め、これら求められたデータから得られた生体反応波形情報を基に生体の機能数値情報を得ることができる生体皮膚インピーダンス測定表示システムにおいて、
前記生体の自立神経、内分泌、免疫に関する機能数値情報を、その機能数値情報に応じて所定の数値範囲に分類してそれぞれ格納する第１の手段と、
前記第１の手段で格納された各部位の数値範囲データをそれぞれ取り出し、当該数値範囲データに応じて３ディメンジョンボール状のグラフの大きさ、色を変え、あるいは、双方とも併用して表示させる第４の手段と、
前記各部位の数値範囲データをそれぞれ取り出し、それら数値範囲データを基に基本バランス、その他の数値を表示するとともに、それら数値範囲データを基に所定のコメンントファイルから所定のコメントを選択して表示させる第５の手段とを備えたことを特徴とするものである。
【００１１】
上記目的を達成するために、請求項５記載の発明に係る生体皮膚インピーダンス測定表示システムは、パルス電圧を生体に印加し、前記パルス電圧の印加開始時の電流値を求めるとともに、印加開始から所定時間後の電流値を求め、かつ、前記パルス電圧印加終了直後の電流値を求め、これら求められた測定値から生体の機能数値情報を得ることができる生体皮膚インピーダンス測定表示システムにおいて、
基準値ファイルからの基準値を基に前記生体の各部位の機能数値情報を所定の数値範囲に分類してそれぞれ格納する第１の手段と、
前記第１の手段により格納された各部位の数値範囲データをそれぞれ取り出し、各部位の情報と前記数値範囲データとを基にレイダーチャート上に表示させるとともに各部位の隣接する表示点を線で結んで表示させる第３の手段と、
各部位の情報と前記数値範囲データとを基に各部位の数値を棒グラフで表示するとともにデジタル数値表示をさせる第６の手段とを備えたことを特徴とするものである。
【００１２】
請求項６記載の発明では、請求項５記載の生体皮膚インピーダンス測定表示システムにおいて、前記第３の手段及び第６の手段は、表示されている点及び線を、前記数値範囲データに基づいて、点滅させ、色を変え、大きさを変え、あるいは、これらのうちの少なくとも２つ以上を併用する機能を有することを特徴とするものである。
【発明の効果】
【００１３】
本発明によれば、生体を測定した値を２ディメンジョン、３ディメンジョンボール状グラフ、レイダーチャート、棒グラフ、連携画面の一つあるいは２つ以上を組み合わせて表示できるようにしたので、生体の状態を直感的にかつ容易に、しかも確実に判定することができる。
【発明を実施するための最良の形態】
【００１４】
以下、本発明を実施するための最良の形態について図１ないし図１０を参照して説明する。
図１は、本発明の実施形態に係る生体皮膚インピーダンス測定表示システムを示すブロック図である。
【００１５】
本発明に係る生体皮膚インピーダンス測定表示システム１は、大別して、生体反応波形測定装置３と、この生体反応波形測定装置３からの測定値を取り込み、反応波形情報を解析処理しかつその処理結果を表示する反応波形情報解析処理装置５とから構成されている。
【００１６】
すなわち、上記生体皮膚インピーダンス測定表示システム１は、パルス電圧を生体に印加し、パルス電圧の印加開始時の電流値を求めるとともに、印加開始から所定時間後の電流値を求め、パルス電圧印加終了直後の電流値を求め、これら求められた測定値から生体の機能数値情報を得る生体反応波形測定装置３と、基準値ファイルからの基準値を基に前記生体の各部位の機能数値情報を所定の数値範囲に分類してそれぞれ格納する第１の手段、第１の手段で格納した各部位の数値範囲データを取り出し、各部位の情報と前記数値範囲データとを基に体のネットワーク画面上に、基本バランスに自律神経、内分泌代謝、免疫の３つのバランスを２ディメンジョンまたは３ディメンジョン的に、三角形状または円上に配置して表示させる第２の手段を実現する反応波形情報解析処理装置５とから構成されている。
【００１７】
さらに各構成を詳細に説明すると、生体反応波形測定装置３は、図示しないが、例えば１［メガヘルツ］の周波数のパルス電圧を発生させて、生体１００に装着した電極７ａ，７ｂにパルス電圧（例えば、３［ボルト］、繰り返し周期２５６［マイクロ秒］のパルス電圧）を印加するパルス発生器と、前記パルス発生器から電極に流れる電流値を検出する電流検出器と、前記電流検出器で検出した電極７ａ，７ｂを介して生体１００に流れる電流値を増幅する電流増幅器と、前記電流増幅器で増幅して得られた測定値をデジタル変換するアナログ−デジタル変換器（ＡＤ変換器）と、前記ＡＤ変換器からのデータのうち、前記パルス電圧の印加開始時の電流値（Ｐ１値）を求め、印加開始から所定時間後（例えば４ミクロン秒後）の電流値（Ｐ２値）を求め、かつ、前記パルス電圧印加終了直後の電流値（ＮＴ値）を求めた後、前記Ｐ１値と前記Ｐ２値との差（Ｐ１−Ｐ２＝Ａ値）、前記Ｐ２値とＮＴ値の差（Ｐ２−ＮＴ＝Ｂ）、Ａ値とＢ値の比（Ａ／Ｂ＝ＥＳ値）、及び、Ｂ値とＡ値の比（Ｂ／Ａ＝ＩＳ値）を求め、それらを反応波形情報解析処理装置５に出力する例えば マイクロコンピュータ（ ＭＰＵ）からなるパラメータ演算手段とから構成されている。
【００１８】
次に、上記反応波形情報解析処理装置５についてさらに詳細に説明すると、上記反応波形情報解析処理装置５は、具体的には、例えばパーソナルコンピュータ（以下、「コンピュータ」という）で構成すればよい。前記コンピュータで構成されている反応波形情報解析処理装置５は、各種の処理や演算を実行するコンピュータ本体５１と、前記コンピュータ本体５１に接続され処理内容を表示するディスプレイ５２と、前記コンピュータ本体５１に接続され必要なデータを入力するキーボード５３と、前記コンピュータ本体に接続され処理の指示等に使用されるマウス５４と、前記コンピュータ本体５１に接続されハードコピーを得ることができるプリンタ（図示せず）とを備えているものが一般的である。
【００１９】
また、前記コンピュータ本体５１は、図示しないが、オペレーティングシステム上で実行されるアプリケーションプログラムに従って各種の演算や処理を実行する中央処理ユニットと、オペレーティングシステムやアプリケーションプログラムを展開記憶する主メモリと、キーボード５３やマウス５４や図示しないプリンタとのインターフェースである入力出力ポートと、外部機器（前記生体反応波形測定装置３）の動作を制御する外部機器用インターフェースと、前記オペレーティングシステムや本発明を実現するアプリケーションプログラムや各種データを格納するハードディスク装置と、その他必要な機器とが内蔵されている。また、前記反応波形情報解析処理装置５を構成するコンピュータのコンピュータ本体５１では、当該ハードディスク装置に、所定のオペレーティングシステムと、本発明を実現するアプリケーションプログラムやその他のプログラムとを格納している。
【００２０】
さらに、前記コンピュータで構成されている反応波形情報解析処理装置５は、電源スイッチが投入されると、コンピュータ本体５１において、ハードディスク装置からオペレーティングシステムが主メモリに展開記憶されて実行された後、さらに、コントロールプログラムなどのアプリケーションプログラムが起動されることにより、コントロールプログラムが主メモリに展開記憶されて一連の測定解析表示処理が可能になるようになっている。
【００２１】
また、前記反応波形情報解析処理装置５を構成するコンピュータのコンピュータ本体５１は、本発明を実現するアプリケーションプログラムを実行することにより、ハードディスク装置に格納された基準値ファイルからの基準値を基に前記生体反応波形測定装置３からの各種データ（前記生体の各部位の機能数値情報）を所定の数値範囲に分類してそれぞれ格納する第１の手段と、前記第１の手段により格納された各部位の数値範囲データをそれぞれ取り出し、各部位の情報と前記数値範囲データとを基にレイダーチャート上に表示して各部位の隣接する表示点を線で結び、かつ、前記レイダーチャート上の所定の３部位を三角形の頂点として線で結んで表示させる第２の手段とを実現させている。
【００２２】
また、前記反応波形情報解析処理装置５を構成するコンピュータのコンピュータ本体５１は、本発明を実現するアプリケーションプログラムを実行することにより、前記第２の手段に、表示されている点及び線を、前記数値範囲データに基づいて、点滅させ、色を変え、大きさを変え、あるいは、これらのうちの少なくとも２つ以上を併用する機能を持たせている。
【００２３】
このような第１の実施形態に係る生体皮膚インピーダンス測定表示システムの動作を説明する。
図２は、本発明の実施形態に係る生体皮膚インピーダンス測定表示システムにおいて生体に印加するパルス電圧と生体に流れる電流の関係を示す波形図であって、横軸に時間を、縦軸に電圧値・電流値を、それぞれ示したものである。
図３は、本発明の実施形態に係る生体皮膚インピーダンス測定表示システムにおいて測定解析表示の一連の処理を説明するためのフローチャートである。
【００２４】
まず、反応波形情報解析処理装置５のコンピュータ本体５１に本発明を実現するためのアプリケーションプログラムを実行させる。ついで、反応波形情報解析処理装置５のコンピュータ本体５１にマウス５４から指令を与えてディスプレイ５２に登録画面を表示させる（ステップ（Ｓ）２０１）。
【００２５】
ディスプレイ５２に登録画面を表示させた後に、測定する被測定者である生体１００が既に登録されている場合には、反応波形情報解析処理装置５のコンピュータ本体５１に登録履歴ファイルからのデータをコンピュータ本体５１に表示させる（Ｓ２０２）。また、ディスプレイ５２に登録画面を表示させた後に、測定する被測定者（生体１００）は新たに登録が必要である場合には、キーボード５３等を使って反応波形情報解析処理装置５のコンピュータ本体５１に必要な登録データを入力する（Ｓ２０３）。
【００２６】
そして、反応波形情報解析処理装置５のコンピュータ本体５１にキーボード５３やマウス５４を介して測定スタートの指令を与える（Ｓ２０４）。すると、反応波形情報解析処理装置５のコンピュータ本体５１は、生体反応波形測定装置３に測定開始の指令を与える。
【００２７】
すると、生体反応波形測定装置３からは、被測定者である生体１００に電極７ａ，７ｂにパルス電圧が供給される。このパルス電圧及びそのパルス電圧が電極７ａ，７ｂを介して生体１００に印加された際に流れる電流の関係は次のとおりである。
図２（ａ）において、生体反応波形測定装置３から生体１００に電極７ａ，７ｂを介して供給されるパルス電圧ＰＶは、例えば、波高値３［ボルト］、繰り返し周期２５６［マイクロ秒］、周波数１［メガヘルツ］のパルス電圧である。
【００２８】
このようなパルス電圧ＰＶを電極７ａ，７ｂを介して生体１００に印加すると、図２（ｂ）に示すような電流Ｉｓが流れる。ここで、図２（ｂ）において、パルス電圧を印加したとき（時刻ｔａにおいて）に流れる電流を前記パルス電圧の印加開始時の電流値（Ｐ１値）とし、所定の印加開始（前記時刻ｔａ）から所定時間ｔｂ後（例えば４ミクロン秒後）の電流を電流値（Ｐ２値）とし、前記パルス電圧印加終了直後（時刻ｔｃ）８  の電流を電流値（ＮＴ値）とする。
【００２９】
このような電流値は、生体反応波形測定装置３の電流検出器で検出される。その電流検出器で検出された電流値は、生体反応波形測定装置３において、電流増幅器で増幅されてＡＤ変換器に供給される。生体反応波形測定装置３におけるＡＤ変換器では、与えられた測定値をデジタル変換してパラメータ演算手段に与えられる。ここで、前記生体反応波形測定装置３において、パラメータ演算手段は、前記ＡＤ変換器から与えられたデータのうち、前記パルス電圧の印加開始時の電流値（Ｐ１値）を求め、印加開始から所定時間後（例えば４ミクロン秒後）の電流値（Ｐ２値）を求め、かつ、前記パルス電圧印加終了直後の電流値（ＮＴ値）を求める。ついで、生体反応波形測定装置３におけるパラメータ演算手段は、前記Ｐ１値と前記Ｐ２値との差（Ｐ１−Ｐ２＝Ａ値）、前記Ｐ２値とＮＴ値の差（Ｐ２−ＮＴ＝Ｂ）、Ａ値とＢ値の比（Ａ／Ｂ＝ＥＳ値）、及び、Ｂ値とＡ値の比（Ｂ／Ａ＝ＩＳ値）を求め、それらを反応波形情報解析処理装置５に供給される（Ｓ２０５）。
【００３０】
前記反応波形情報解析処理装置５のコンピュータ本体５１は、生体反応波形測定装置３から供給されるデータを保存する（Ｓ２０６；測定結果ストアＳ２０７）。なお、測定結果ストア（Ｓ２０６）において再測定が必要な場合には、ステップ２０４に戻る。
【００３１】
次に、前記反応波形情報解析処理装置５のコンピュータ本体５１は、解析処理を実行する（Ｓ２０８）。この解析処理は、コンピュータ本体５１が本発明を実現するアプリケーションプログラムを実行することにより、第１の手段を実現し、まず、第１の手段が、基準値ファイル（３０１，３０２，３０３）からの基準値を基に、生体反応波形測定装置３から供給され保存されたデータ（前記生体の各部位の機能数値情報）を所定の数値範囲に分類してそれぞれ格納しておく。
ついで、反応波形情報解析処理装置５のコンピュータ本体５１は、解析結果を表示処理する（Ｓ２０９）。
【００３２】
図４は、本発明の実施形態に係る生体皮膚インピーダンス測定表示システムにおいて解析結果の表示形態を説明するための図である。
反応波形情報解析処理装置５のコンピュータ本体５１は、全身バランス（Ｓ４０１）、経絡チャート（Ｓ４０２）、脊髄の歪（Ｓ４０３）、臓器器官の傾向（Ｓ４０４）、証・体質チャート（Ｓ４０５）のいずれかを例えばマウス５４等で選択することにより、解析結果をディスプレイ５２に表示させることができる（Ｓ４０６）。
【００３３】
なお、反応波形情報解析処理装置５のコンピュータ本体５１において、全身バランス（Ｓ４０１）を表示させる際には、全身バランス（ＮＴ値，ＥＳ値，ＩＳ値）、左右バランス（ＮＴ値，ＥＳ値，ＩＳ値）、上下バランス（ＮＴ値，ＥＳ値，ＩＳ値）、健康度などのデータファイル４０１を使用する。
また、反応波形情報解析処理装置５のコンピュータ本体５１において、経絡チャート（Ｓ４０２）を表示させる際には、（ＮＴ値，ＥＳ値，ＩＳ値）のレイダーチャートのデータファイル４０２を使用する。
【００３４】
さらに、反応波形情報解析処理装置５のコンピュータ本体５１において、脊髄の歪（Ｓ４０３）を表示させる際には、骨の姿（左右の歪）４０３のデータファイル４０４を使用する。
【００３５】
さらにまた、反応波形情報解析処理装置５のコンピュータ本体５１において、証・体質チャート（Ｓ４０５）を表示させる際には、主な証、体質チャートのデータファイル４０５を使用する。
【００３６】
ここで、マウス５４等により反応波形情報解析処理装置５のコンピュータ本体５１に経絡チャート（Ｓ４０２）を表示せよとする指令が入力されると、コンピュータ本体５１は、本発明を実現するアプリケーションプログラムを実行することにより、第２の手段を実現し、第２の手段が、前記第１の手段により格納された各部位の数値範囲データをデータファイル４０２からそれぞれ取り出し、各部位の情報と前記数値範囲データとを基にレイダーチャート上に表示して各部位の隣接する表示点を線で結び、かつ、前記レイダーチャート上の所定の３部位を三角形の頂点として線で結んでディスプレイ５２に表示させる。
【００３７】
図５は、本発明の実施形態に係る生体皮膚インピーダンス測定表示システムにおいて体のネットワーク画面表示の指令によりディスプレイ上に表示されたネットワーク画面を説明するための図である。
【００３８】
前記反応波形情報解析処理装置５のコンピュータ本体５１は、本発明を実現するアプリケーションプログラムを実行して第２の手段を実現すると、第２の手段は、前記第１の手段により格納された各部位の数値範囲データをそれぞれ取り出し、各部位の情報と前記数値範囲データとを基に体のネットワーク画面上に基本バランスに自律神経、内分泌代謝、免疫の３つのバランスを２ディメンジョンまたは３ディメンジョン的に、三角形状または円上に配置して表示させる（図３のＳ２０８，Ｓ２０９及び図４のＳ４０４、Ｓ４０６）。
【００３９】
これにより、図５に示すように体のネットワーク画面５００が表示される。この体のネットワーク画面５００は、図５に示すように、氏名５０１、ファイル名５０２、性別５０３、年齢５０４、バランス５０５、体重５０６、ウエスト５０７、ヒップ５０８、標準体重５０９、身長５１０、体型５１１、肥満度５１２が数値表示されている。また、この体のネットワーク画面５００は、図５に示すように、基本バランスに自律神経、内分泌、代謝免疫の３つのバランスが２ディメンジョン、３ディメンジョン的に三角形で表示されたり、あるいは、その他の臓器等状況も含めて円形に表示されたりする（図５の符号５１２）。
【００４０】
また、反応波形情報解析処理装置５のコンピュータ本体５１で実現されている第２の手段は、基本バランスに自律神経、内分泌、代謝免疫の３つのバランスが２ディメンジョン、３ディメンジョン的に三角形に表示されている点及び線を、前記数値範囲データに基づいて、点滅させ、色を変え、大きさを変え、あるいは、これらのうちの少なくとも２つ以上を併用する機能を有している。
【００４１】
図６（ａ）は、本発明の実施形態に係る生体皮膚インピーダンス測定表示システムにおいてバランスの崩れを表示させる指令によりディスプレイ上に表示されたバランスの崩れを３Ｄボール状画面を説明するための図である。図６（ｂ）は、本発明の実施形態に係る生体皮膚インピーダンス測定表示システムにおいてバランスの崩れ骨のずれを表示させる指令によりディスプレイ上に表示されたバランスの崩れを３Ｄボール状に骨の状態を人間形にした画面を説明するための図である。
【００４２】
前記反応波形情報解析処理装置５のコンピュータ本体５１では、本発明を実現するアプリケーションプログラムを実行することにより、第４の手段を実現している。このコンピュータ本体５１における第４の手段は、前記第１の手段で格納された各部位の数値範囲データをそれぞれ取り出し、当該数値範囲データに応じて３ディメンジョン（Ｄ）ボール状のグラフの大きさ、色を変え、あるいは、双方とも併用して表示させる（図２のＳ２０８、Ｓ２０９、及び図４のＳ４０１、Ｓ４０３、Ｓ４０６）。
【００４３】
また、コンピュータ本体５１において実現されている第５の手段は、前記各部位の数値範囲データをそれぞれ取り出し、それら数値範囲データを基に基本バランス、その他の数値を表示するとともに、それら数値範囲データを基に所定のコメンントファイルから所定のコメントを選択して表示させる（図２のＳ２０８、Ｓ２０９）。
【００４４】
これにより、バランス崩れの画面６００は、図６（ａ）に示すように、３Ｄボール状のグラフ６０１と、基本バランス６０２、自律神経系６０３、内分泌代謝系６０４・免疫系６０５のそれぞれに数値が表示されるとともに、必要なコメント６０６が表示されることになる。
【００４５】
また、バランス崩れ及び骨の歪み画面６５０は、図６（ｂ）に示すように、３Ｄボール状のグラフ及び人間形のグラフ６５１と、各種バランスの数値表示窓６５２と、バランスに関する表示窓６５３と、コメントに関する表示窓６５４とが表示されている。
【００４６】
図７は、本発明の実施形態に係る生体皮膚インピーダンス測定表示システムにおいて棒グラフ・レイダーチャート表示指令が入力された際にディスプレイ上に表示された画面を説明するための図である。
【００４７】
前記反応波形情報解析処理装置５のコンピュータ本体５１は、本発明を実現するアプリケーションプログラムを実行して第３の手段を実現する。このコンピュータ本体５１で実現されている第３の手段は、前記第１の手段により格納された各部位の数値範囲データをそれぞれ取り出し、各部位の情報と前記数値範囲データとを基にレイダーチャート上に表示して各部位の隣接する表示点を線で結んで表示させる（図３のＳ２０８、Ｓ２０９）。第３の手段は、表示されている点及び線を、前記数値範囲データに基づいて、点滅させ、色を変え、大きさを変え、あるいは、これらのうちの少なくとも２つ以上を併用する機能を有している。
【００４８】
また、前記反応波形情報解析処理装置５のコンピュータ本体５１は、本発明を実現するアプリケーションプログラムを実行して第６の手段を実現する。このコンピュータ本体５１で実現されている第６の手段は、各部位の情報と前記数値範囲データとを基に各部位の数値を棒グラフで表示するとともにデジタル数値表示をさせる（図３のＳ２０８、Ｓ２０９及び図４のＳ４０４、Ｓ４０６）。なお、前記第３の手段及び第６の手段は、表示されている点、線あるいは棒グラフを、前記数値範囲データに基づいて、点滅させ、色を変え、大きさを変え、あるいは、これらのうちの少なくとも２つ以上を併用して表示させている。
【００４９】
これにより、棒グラフ・レイダーチャート画面７００は、図７に示すように、呼吸器系について数値表示７０１と棒グラフ７０２を、循環器系について数値表示７０３と棒グラフ７０４を、消化器系について数値表示７０５と棒グラフ７０６を、泌尿器系について数値表示７０７と棒グラフ７０８を、内分泌系について数値表示７０９と棒グラフ７１０を、筋・運動系について数値表示７１１と棒グラフ７１２を、精神・神経系について数値表示７１３と棒グラフ７１４を、それぞれ表示付している。なお、棒グラフ・レイダーチャート画面７００は、図７に示すように、総合した結果が、「あなたの健康」として、数値表示７２１と棒グラフ７２２で表示されている。
【００５０】
また、棒グラフ・レイダーチャート画面７００は、図７に示すように、呼吸器系と、循環器系と、消化器系と、泌尿器系と、内分泌系と、筋・運動系と、精神・神経系とをレイダーチャート上に配置し、前記数値範囲データに基づいて、レイダーチャート上にそれぞれプロットされた点の隣接点を線で結んだ画面７１５として表示されている。
【００５１】
以上のように本発明に係る生体皮膚インピーダンス測定表示システムによれば、３Ｄボール状に表示したり、レイダーチャート上に自動的に表示可能にしたので、生体の状態を簡単に直感的に理解することができる。
【００５２】
図８は、本発明の実施形態に係る生体皮膚インピーダンス測定表示システムにおいて測定解析したデータと印刷との関係を説明するための図である。図９及び図１０は、本発明の実施形態に係る生体皮膚インピーダンス測定表示システムにおいて測定解析したデータの印刷例を示す図である。
【００５３】
前記生体反応波形測定装置３から反応波形情報解析処理装置５に取り込んだデータは、コンピュータ本体５１に入力される。コンピュータ本体５１で実現された第１の手段は、基準値ファイルからの基準値を基に前記生体の各部位の機能数値情報を所定の数値範囲に分類してファイルに格納される。また、コンピュータ本体５１は、キーボード５３から入力された各種データをファイルに格納する。そして、コンピュータ本体５１は、キーボード５３から入力されたデータを基に肥満度を計算してファイル８０１に格納する。また、コンピュータ本体５１は、数値範囲に分類されたデータからストレス度を判定してファイル８０２に格納する。コンピュータ本体５１は、さらに、数値範囲に分類されたデータから全身のバランスを判定してファイル８０３に格納する。また、コンピュータ本体５１は、数値範囲に分類されたデータから臓器の傾向と体質、証の判定をしてファイル８０４に格納する。さらに、コンピュータ本体５１は、前記ファイルの数値範囲を基にファイル８０５から「かかりやすい病気・みられやすい症状」を選択できる。また、コンピュータ本体５１は、前記ファイルの数値範囲を基にファイル８０５から「お勧めしたい食べ物・さけたい食べ物」を選択する。前記コンピュータ本体５１は、前記ファイルの数値範囲を基に「お勧めしたい運動」を選択できる。
【００５４】
そして、コンピュータ本体５１は、印刷の指定があると、印刷すべき内容の指定にしたがってファイル８０１〜８０８の一つあるいは複数以上を参照し、そのファイルから取り込んだ印刷データを図示しないプリンタに供給して印刷を実行する（図３のＳ２１０及び図８のＳ８００）。
【００５５】
この印刷処理を実行することにより、図９に示すような印刷物９１０や、図１０に示すような印刷物９２０が印刷されることになる。
【００５６】
これにより、生体の対象たる被測定者に、必要な情報をハードコピー（印刷物９１０、印刷物９２０）として与えることができるので、被測定者はハードコピーに従って自分の状態を直感的に知ることができ、かつ、なりやすい病気等をいつでも知ることができ、健康管理に役立てることができる。
【図面の簡単な説明】
【００５７】
【図１】図１は、本発明の実施形態に係る生体皮膚インピーダンス測定表示システムを示すブロック図である。
【図２】図２は、本発明の実施形態に係る生体皮膚インピーダンス測定表示システムにおいて生体に印加するパルス電圧と生体に流れる電流の関係を示す波形図であって、横軸に時間を、縦軸に電圧値・電流値を、それぞれ示したものである。
【図３】図３は、本発明の実施形態に係る生体皮膚インピーダンス測定表示システムにおいて測定解析表示の一連の処理を説明するためのフローチャートである。
【図４】図４は、本発明の実施形態に係る生体皮膚インピーダンス測定表示システムにおいて解析結果の表示形態を説明するための図である。
【図５】図５は、本発明の実施形態に係る生体皮膚インピーダンス測定表示システムにおいて体のネットワーク画面表示の指令によりディスプレイ上に表示されたネットワーク画面を説明するための図である。
【図６】図６（ａ）は、本発明の実施形態に係る生体皮膚インピーダンス測定表示システムにおいてバランスの崩れを表示させる指令によりディスプレイ上に表示されたバランスの崩れを３Ｄボール状画面を説明するための図である。図６（ｂ）は、本発明の実施形態に係る生体皮膚インピーダンス測定表示システムにおいてバランスの崩れ骨のずれを表示させる指令によりディスプレイ上に表示されたバランスの崩れを３Ｄボール状に骨の状態を人間形にした画面を説明するための図である。
【図７】図７は、本発明の実施形態に係る生体皮膚インピーダンス測定表示システムにおいて棒グラフ・レイダーチャート表示指令が入力された際にディスプレイ上に表示された画面を説明するための図である。
【図８】図８は、本発明の実施形態に係る生体皮膚インピーダンス測定表示システムにおいて測定解析したデータと印刷との関係を説明するための図である。
【図９】図９は、本発明の実施形態に係る生体皮膚インピーダンス測定表示システムにおいて測定解析したデータの印刷例を示す図である。
【図１０】図１０は、本発明の実施形態に係る生体皮膚インピーダンス測定表示システムにおいて測定解析したデータの印刷例を示す図である。
【符号の説明】
【００５８】
１  生体皮膚インピーダンス測定表示システム
３  生体反応波形測定装置
５  反応波形情報解析処理装置
５１  コンピュータ本体
５２  ディスプレイ
５３  キーボード
５４  マウス
【図１】
2007061153.tif 000003
【図２】
2007061153.tif 000004
【図３】
2007061153.tif 000005
【図４】
2007061153.tif 000006
【図５】
2007061153.tif 000007
【図６】
2007061153.tif 000008
【図７】
2007061153.tif 000009
【図８】
2007061153.tif 000010
【図９】
2007061153.tif 000011
【図１０】
2007061153.tif 000012